【手続補正書】
【提出日】平成22年3月18日(2010.3.18)
【手続補正１】
【補正対象書類名】特許請求の範囲
【補正対象項目名】全文
【補正方法】変更
【補正の内容】
【特許請求の範囲】
【請求項１】
正極および負極と共に電解液を備え、
前記負極は、負極集電体上に、ケイ素（Ｓｉ）を含有する負極活物質を含む負極活物質層を有し、
Ｘ線回折によって得られるケイ素の（２２０）結晶面に起因するピークの強度Ｉ１と（１１１）結晶面に起因するピークの強度Ｉ２との強度比Ｉ１／Ｉ２は、０．０５以上である、
リチウムイオン二次電池。
【請求項２】
前記強度比Ｉ１／Ｉ２は、０．２以上１以下である、請求項１記載のリチウムイオン二次電池。
【請求項３】
前記負極活物質は、複数の粒子状であり、その粒子状の負極活物質のメジアン径は、０．１μｍ以上３０μｍ以下である、請求項１記載のリチウムイオン二次電池。
【請求項４】
前記メジアン径は、１μｍ以上２０μｍ以下である、請求項３記載のリチウムイオン二次電池。
【請求項５】
前記負極活物質層は、ポリイミド、ポリアミドおよびポリアミドイミドのうちの少なくとも１種の樹脂を含む、請求項１記載のリチウムイオン二次電池。
【請求項６】
前記樹脂のうちの少なくとも一部は、炭化している、請求項５記載のリチウムイオン二次電池。
【請求項７】
前記負極活物質層は、炭素材料を含む、請求項１記載のリチウムイオン二次電池。
【請求項８】
前記負極集電体の表面の算術平均粗さＲａは、０．２μｍ以上である、請求項１記載のリチウムイオン二次電池。
【請求項９】
前記負極の表面の色（明度）は、ＪＩＳ  Ｚ  ８７２９に規定されているＬ＊ａ＊ｂ＊表色系によるＬ＊表示において、８．５以上７５．５以下である、請求項１記載のリチウムイオン二次電池。
【請求項１０】
前記負極の表面の色は、前記Ｌ＊表示において３０以上６０以下である、請求項９記載のリチウムイオン二次電池。
【請求項１１】
２０°≦２θ≦９０°の計測範囲において、前記強度Ｉ１，Ｉ２の和をＡとし、ケイ素の（２２０）結晶面および（１１１）結晶面以外の他の結晶面に起因するピークの強度の和をＢとしたとき、強度比Ａ／Ｂは、１以上である、請求項９記載のリチウムイオン二次電池。
【請求項１２】
前記強度比Ａ／Ｂは、１．５以上である、請求項１１記載のリチウムイオン二次電池。
【請求項１３】
前記負極の満充電状態における負極利用率は、２０％以上８０％以下である、請求項１記載のリチウムイオン二次電池。
【請求項１４】
負極集電体上に、ケイ素を含有する負極活物質を含む負極活物質層を有し、
Ｘ線回折によって得られるケイ素の（２２０）結晶面に起因するピークの強度Ｉ１と（１１１）結晶面に起因するピークの強度Ｉ２との強度比Ｉ１／Ｉ２は、０．０５以上である、
リチウムイオン二次電池用負極。
【請求項１５】
ケイ素を含有し、
Ｘ線回折によって得られるケイ素の（２２０）結晶面に起因するピークの強度Ｉ１と（１１１）結晶面に起因するピークの強度Ｉ２との強度比Ｉ１／Ｉ２は、０．０５以上である、
リチウムイオン二次電池用負極活物質。
【手続補正２】
【補正対象書類名】明細書
【補正対象項目名】発明の名称
【補正方法】変更
【補正の内容】
【発明の名称】リチウムイオン二次電池用負極活物質、リチウムイオン二次電池用負極およびリチウムイオン二次電池
【手続補正３】
【補正対象書類名】明細書
【補正対象項目名】０００１
【補正方法】変更
【補正の内容】
【０００１】
本発明は、ケイ素を含有するリチウムイオン二次電池用負極活物質、ならびにそれを用いたリチウムイオン二次電池用負極およびリチウムイオン二次電池に関する。
【手続補正４】
【補正対象書類名】明細書
【補正対象項目名】０００８
【補正方法】変更
【補正の内容】
【０００８】
本発明はかかる問題点に鑑みてなされたもので、その目的は、サイクル特性を向上させることが可能なリチウムイオン二次電池用負極活物質、リチウムイオン二次電池用負極およびリチウムイオン二次電池を提供することにある。
【手続補正５】
【補正対象書類名】明細書
【補正対象項目名】０００９
【補正方法】変更
【補正の内容】
【０００９】
本発明のリチウムイオン二次電池用負極活物質は、ケイ素を含有し、Ｘ線回折によって得られるケイ素の（２２０）結晶面に起因するピークの強度Ｉ１と（１１１）結晶面に起因するピークの強度Ｉ２との強度比Ｉ１／Ｉ２が０．０５以上のものである。
【手続補正６】
【補正対象書類名】明細書
【補正対象項目名】００１０
【補正方法】変更
【補正の内容】
【００１０】
本発明のリチウムイオン二次電池用負極は、負極集電体上にケイ素を含有する負極活物質を含む負極活物質層を有し、Ｘ線回折によって得られるケイ素の（２２０）結晶面に起因するピークの強度Ｉ１と（１１１）結晶面に起因するピークの強度Ｉ２との強度比Ｉ１／Ｉ２が０．０５以上のものである。
【手続補正７】
【補正対象書類名】明細書
【補正対象項目名】００１１
【補正方法】変更
【補正の内容】
【００１１】
本発明のリチウムイオン二次電池は、正極および負極と共に電解液を備え、負極が負極集電体上にケイ素を含有する負極活物質を含む負極活物質層を有し、Ｘ線回折によって得られるケイ素の（２２０）結晶面に起因するピークの強度Ｉ１と（１１１）結晶面に起因するピークの強度Ｉ２との強度比Ｉ１／Ｉ２が０．０５以上のものである。
【手続補正８】
【補正対象書類名】明細書
【補正対象項目名】００１２
【補正方法】変更
【補正の内容】
【００１２】
本発明のリチウムイオン二次電池用負極活物質によれば、Ｘ線回折によって得られるケイ素の（２２０）結晶面に起因するピークの強度Ｉ１と（１１１）結晶面に起因するピークの強度Ｉ２との強度比Ｉ１／Ｉ２が０．０５以上であるので、ケイ素の結晶面として安定な結晶面（稠密な面）の割合が多くなり、その結晶状態が適正化される。これにより、本発明のリチウムイオン二次電池用負極活物質を用いたリチウムイオン二次電池用負極あるいはリチウムイオン二次電池によれば、電極反応時において、負極活物質層が崩落しにくくなり、負極の表面に安定な被膜が形成されやすくなり、負極活物質が反応しにくくなるため、サイクル特性を向上させることができる。
【手続補正９】
【補正対象書類名】明細書
【補正対象項目名】００７８
【補正方法】変更
【補正の内容】
【００７８】
この二次電池では、例えば、正極活物質層２１Ｂが正極集電体２１Ａに対して部分的に設けられていると共に、負極活物質層２２Ｂが負極集電体２２Ａに対して部分的に設けられている。この負極活物質層２２Ｂは正極活物質層２１Ｂと対向しているが、その負極活物質層２２Ｂの形成範囲は正極活物質層２１Ｂの形成範囲よりも広くなっている。すなわち、負極活物質層２２Ｂは、正極活物質層２１Ｂの形成領域と対向する領域Ｒ１と、それに対向しない領域Ｒ２とに設けられている。この領域Ｒ２は、領域Ｒ１の両側に設けられているのが好ましい。
【手続補正１０】
【補正対象書類名】明細書
【補正対象項目名】０２４６
【補正方法】変更
【補正の内容】
【０２４６】
以上、実施の形態および実施例を挙げて本発明を説明したが、本発明は上記した実施の形態および実施例において説明した態様に限定されず、種々の変形が可能である。  
【手続補正１１】
【補正対象書類名】明細書
【補正対象項目名】０２４７
【補正方法】変更
【補正の内容】
【０２４７】
また、上記した実施の形態および実施例では、リチウムイオン二次電池として、負極の容量がリチウムの吸蔵および放出に基づいて表される場合について説明したが、必ずしもこれに限られるものではない。本発明のリチウムイオン二次電池は、リチウムを吸蔵および放出することが可能な負極材料の充電容量を正極の充電容量よりも小さくすることにより、負極の容量がリチウムの吸蔵および放出に伴う容量とリチウムの析出および溶解に伴う容量とを含み、かつ、それらの容量の和によって表される場合についても同様に適用可能である。
【手続補正１２】
【補正対象書類名】明細書
【補正対象項目名】０２４８
【補正方法】変更
【補正の内容】
【０２４８】
また、上記した実施の形態および実施例では、電池構造が角型、円筒型およびラミネートフィルム型である場合、ならびに電池素子が巻回構造を有する場合を例に挙げて説明したが、本発明のリチウムイオン二次電池は、コイン型あるいはボタン型などの他の電池構造を有する場合や、電池素子が積層構造などの他の構造を有する場合についても同様に適用可能である。
【手続補正１３】
【補正対象書類名】明細書
【補正対象項目名】０２４９
【補正方法】削除
【補正の内容】
【手続補正１４】
【補正対象書類名】明細書
【補正対象項目名】０２５０
【補正方法】変更
【補正の内容】
【０２５０】
また、上記した実施の形態および実施例では、本発明のリチウムイオン二次電池用負極活物質、リチウムイオン二次電池用負極あるいはリチウムイオン二次電池に関し、強度比Ｉ１／Ｉ２について実施例の結果から導き出された数値範囲を適正範囲として説明しているが、その説明は、強度比Ｉ１／Ｉ２が上記した範囲外となる可能性を完全に否定するものではない。すなわち、上記した適正範囲は、あくまで本発明の効果を得る上で特に好ましい範囲であり、本発明の効果が得られるのであれば、強度比Ｉ１／Ｉ２が上記した範囲から多少外れてもよい。このことは、上記した強度比Ｉ１／Ｉ２に限らず、負極活物質の粒子のメジアン径、負極の表面の色（明度：Ｌ＊）、あるいは強度比Ａ／Ｂなどについても同様である。